(57)【要約】【課題】吸込具に塵埃や毛髪等が絡みにくく、被掃除面への掃除能力（塵埃の除去効果、被掃除面の磨き効果等）が高い吸込具、及びこれを備えた電気掃除機を得ることを目的とする。【解決手段】この発明に係る電気掃除機用吸込具５は、内部に風路を形成する筒状の吸込具本体８と、一端が前記吸込具本体８の開口部９に接続された連結部材１２と、前記連結部材１２の他端と接続され、前記風路を通過する気流を受けて揺動可能な清掃体１０と、を備えたことを特徴とする。  さらに、この発明に係る電気掃除機１は、上述した電気掃除機用吸込具５と、気流を発生させる送風機２ｂと、を備えたことを特徴とする。【選択図】          図３
2015159936.tif 000002
【特許請求の範囲】
【請求項１】
内部に風路を形成する筒状の吸込具本体と、
一端が前記吸込具本体の開口部に接続された連結部材と、
前記連結部材の他端と接続され、前記風路を通過する気流を受けて揺動可能な清掃体と、
を備えた電気掃除機用吸込具。
【請求項２】
前記清掃体は、前記連結部材により吊られていることを特徴とする請求項１に記載の電気掃除機用吸込具。
【請求項３】
前記清掃体は、前記開口部から突出することを特徴とする請求項１または２に記載の電気掃除機用吸込具。
【請求項４】
前記清掃体は、前記吸込具本体と前記連結部材の接続部を支点として振動することを特徴とする請求項１から３のいずれかに記載の電気掃除機用吸込具。
【請求項５】
前記開口部は、前記吸込具本体の前記連結部材側から気流が流入することを特徴とする請求項１から４のいずれかに記載の電気掃除機用吸込具。
【請求項６】
前記清掃体の振動により発生する振動音または前記清掃体が前記内壁に接触することにより発生する接触音を低減する振動吸収部材を備えたことを特徴とする請求項１から５のいずれかに記載の電気掃除機用吸込具。
【請求項７】
前記吸込具本体の前記開口部の左右両側面に、前記開口部から延長する気流誘導部材を備えたことを特徴とする請求項１から６のいずれかに記載の電気掃除機用吸込具。
【請求項８】
前記清掃体及び前記気流誘導部材を覆うカバーを備えたことを特徴とする請求項７に記載の電気掃除機用吸込具。
【請求項９】
前記吸込具本体は、前記開口部に向けて前記風路が縮径することを特徴とする請求項１から８のいずれかに記載の電気掃除機用吸込具。
【請求項１０】
請求項１から９のいずれかに記載の電気掃除機用吸込具を備えた電気掃除機。
【発明の詳細な説明】
【技術分野】
【０００１】
本発明は、電気掃除機本体に直接或いは接続パイプ等を介して着脱可能な電気掃除機用吸込具及びこれを備えた電気掃除機に関する。
【背景技術】
【０００２】
従来から、電気掃除機は、送風機を備えた電気掃除機本体に直接或いは接続パイプ等を介して着脱可能な吸込具を備えている。この吸込具は、例えば、筒状の管内に、ブラシを備えたファン体が取り付けられた構成をしており、この吸込具を電気掃除機本体に接続した状態で送風機を駆動すると、送風機の駆動によって発生した気流によりファン体及びブラシが回転する。そして、この回転しているブラシを床面に押し当てると、床面に付着した塵埃等を除去することができる（特許文献１）。
【先行技術文献】
【特許文献】
【０００３】
【特許文献１】特開２００２-２３３４７９号公報
【発明の概要】
【発明が解決しようとする課題】
【０００４】
しかしながら、この吸込具は、ファン体が管内を塞ぐように配置されるため、ファン体及びファン体を軸支する回転軸に塵埃や毛髪等が絡みやすく、掃除能力が低減しやすいという問題があった。
【０００５】
そこで、本発明は、このような課題を解決するためになされたものであり、吸込具に塵埃や毛髪等が絡みにくく、被掃除面への掃除能力（塵埃の除去効果、被掃除面の磨き効果等）が高い吸込具、及びこれを備えた電気掃除機を得ることを目的とする。
【課題を解決するための手段】
【０００６】
この発明に係る電気掃除機用吸込具は、内部に風路を形成する筒状の吸込具本体と、一端が前記吸込具本体の開口部に接続された連結部材と、前記連結部材の他端と接続され、前記風路を通過する気流を受けて揺動可能な清掃体と、を備えたことを特徴とする。
【０００７】
この発明に係る電気掃除機は、上述した吸込具と、気流を発生させる送風機と、を備えたことを特徴とする。
【発明の効果】
【０００８】
この発明により、被掃除面への掃除能力（塵埃の除去効果、および被掃除面の磨き効果）が高く、塵埃や毛髪等が絡みにくい吸込具、及びこれを備えた電気掃除機を得ることができる。
【図面の簡単な説明】
【０００９】
【図１】この発明の実施の形態１に係る吸込具を備えた電気掃除機の全体外観を示す斜視図である。
【図２】この発明の実施の形態１に係る電気掃除機の吸込具の風路の角度を変更した状態の全体外観を示す斜視図である。
【図３】この発明の実施の形態１に係る吸込具の先端部を示す斜視図である。
【図４】この発明の実施の形態１に係る吸込具の先端部の短手方向の垂直断面図である。
【図５】この発明の実施の形態１に係る吸込具の先端部の短手方向の垂直断面における清掃体の動作を示す説明図である。
【図６】この発明の実施の形態１に係る吸込具の先端部の長手方向の垂直断面における清掃体の動作を示す説明図である。
【図７】この発明の実施の形態１に係る吸込具の先端部の水平断面における清掃体の動作を示す説明図である。
【図８】この発明の実施の形態１に係る吸込具の先端部の短手方向の垂直断面における吸込具を被掃除面に当てた場合の吸込具の動作を示す説明図である。
【図９】この発明の実施の形態２に係る吸込具の先端部の短手方向の垂直断面図である。
【図１０】この発明の実施の形態３に係る吸込具の先端部を示す斜視図である。
【図１１】この発明の実施の形態３に係る吸込具の先端部の短手方向の垂直断面図である。
【図１２】この発明の実施の形態４に係る吸込具の先端部を示す斜視図である。
【図１３】この発明の実施の形態５に係る吸込具の先端部を示す斜視図である。
【図１４】この発明の実施の形態６に係る吸込具の先端部を示す斜視図である。
【図１５】この発明の実施の形態７に係る吸込具の先端部を示す斜視図である。
【図１６】この発明の実施の形態７に係る吸込具の先端部の短手方向の垂直断面図である。
【図１７】この発明の実施の形態８に係る吸込具の先端部を示す斜視図である。
【図１８】この発明の実施の形態９に係る吸込具の先端部を示す斜視図である。
【図１９】この発明の実施の形態９に係る吸込具の先端部の短手方向の垂直断面図である。
【図２０】この発明の実施の形態９に係る吸込具の先端部の水平断面における清掃体の動作を示す説明図である。
【発明を実施するための形態】
【００１０】
実施の形態１
本発明の実施の形態１に係る電気掃除機及び吸込具の構成について図１から図８を用いて説明する。図１は、この発明の実施の形態１に係る吸込具を備えた電気掃除機の全体外観を示す斜視図である。図２は、この発明の実施の形態１に係る電気掃除機の吸込具の風路の角度を変更した状態の全体外観を示す斜視図である。図３は、この発明の実施の形態１に係る吸込具の先端部を示す斜視図である。図４は、この発明の実施の形態１に係る吸込具の先端部の短手方向の垂直断面図である。図５は、この発明の実施の形態１に係る吸込具の先端部の短手方向の垂直断面における清掃体の動作を示す説明図である。図６は、この発明の実施の形態１に係る吸込具の先端部の長手方向の垂直断面における清掃体の動作を示す説明図である。図７は、この発明の実施の形態１に係る吸込具の先端部の水平断面における清掃体の動作を示す説明図である。図８は、この発明の実施の形態１に係る吸込具の先端部の短手方向の垂直断面における吸込具を被掃除面に当てた場合の清掃体の動作を示す説明図である。
【００１１】
図１に示すように、電気掃除機１は、掃除機本体２と、掃除機本体２に接続されるホース３と、ホース３に接続される接続パイプ４と、接続パイプ４に接続される吸込具５とを備えている。
【００１２】
掃除機本体２は、吸込具５から吸い込まれた塵埃を含む空気（以下「含塵空気」と記載）から塵埃を分離し、塵埃が取り除かれた空気（以下「清浄空気」と記載）を排出する。掃除機本体２には、掃除機本体２へと流入した含塵空気中の塵埃を捕捉して集める集塵部２ａが設けられている。また、掃除機本体２内には送風機２ｂが内蔵されている。送風機２ｂは、掃除機本体２の集塵部２ａへと含塵空気を吸引するための気流を作り出している。
【００１３】
掃除機本体２の前端部には、ホース３の一端部が接続される。このホース３は、蛇腹により可撓性を備えた筒状の部材である。ホース３の他端部には、接続パイプ４の一端部が接続される。この接続パイプ４は、途中で折れ曲がった中空円筒状の部材である。接続パイプ４には、把手部４ａが設けられている。把手部４ａは、電気掃除機１の使用者が持って操作するためのものである。さらに把手部４ａには、電気掃除機１の運転を制御するための操作スイッチ（図示せず）が設けられている。
【００１４】
接続パイプ４の他端部には、吸込具５が接続される。吸込具５は、内部に風路を形成する筒状の吸込具本体８と、床面等の被清掃面を清掃する清掃体１０と、吸込具本体８と清掃体１０を接続する連結部材１２（後述する図３参照）とを備えている。また、吸込具本体８の先端には長方形形状の開口部９を有し、送風機２ｂが駆動すると、開口部９から掃除機本体２に向けて空気が吸い込まれる。
【００１５】
吸込具本体８は、中空の樹脂部材からなり、接続パイプ４側の風路の断面は円形で、先端側の風路の断面は長方形に構成されている。また、吸込具本体８は中継部６を境に分割されており、伸縮可能に構成される。なお、吸込具本体８は、伸ばした状態でも縮めた状態でも、気密を確保するように構成されている。
【００１６】
吸込具本体８の先端側には、先端部の角度を調節可能な角度調節部７が設けられる。角度調節部７は硬質の蛇腹構造であり、使用者が力を加えて上下方向に曲げることにより、所定の角度で保持される。
【００１７】
使用者が操作スイッチを操作することにより、送風機２ｂを駆動させると、吸引気流が発生し、吸込具５の先端から空気が流入する。空気は接続パイプ４、ホース３を通って集塵部２ａを通過する。含塵空気を吸引した場合は、集塵部２ａによって塵埃が分離され、清浄空気が掃除機本体２の外部に排出される。
【００１８】
図２は、角度調節部７を吸込具５の先端が上向きになるように調節した状態を示す。図２に示すように、吸込具５の先端を上向きに調節することで、吸込具５の床面への当接角度が適切にできるため、使用者は床面の掃除を行い易くなる。また、図示しないが、吸込具５の先端を下向きに調節すると、棚の上等高い箇所の掃除を行い易くなる。
【００１９】
つづいて、図３及び図４を参照して吸込具５の先端側の詳細な構造につていて説明する。吸込具本体８の先端に形成された長方形形状の開口部９は、吸込具本体８の長手方向に垂直な面に対して角度Ａ（２２°）だけ傾斜して設けられる。開口部９の寸法は、例えば、上下幅が３０ｍｍ、左右幅が１６ｍｍであり、吸込具本体の８の材料肉厚は１ｍｍである。
【００２０】
清掃体１０は、清掃体本体１６と、清掃体本体１６の先端に備えられた毛ブラシ１１により構成される。清掃体本体１６は、長さ１００ｍｍ、幅１０ｍｍ、厚み１ｍｍの樹脂やゴム等により構成された板状の部材である。毛ブラシ１１は長さ８ｍｍの細いナイロンの毛を複数束ねたもので、清掃体本体１６の先端の幅２２ｍｍの切り欠き部分に植毛される。
【００２１】
清掃体１０は連結部材１２によって、吸込具本体８の内側に吊り下げられている。また、清掃体１０が吸込具本体８の内側に吊り下げられた状態で、清掃体１０を構成する毛ブラシ１１は開口部９から突出している。連結部材１２は直径０．５ｍｍのナイロンを材料とする柔軟な紐状の部材である。連結部材１２の両端は、直径を大きくする等の加工が施された第一固定部１３及び第二固定部１４が形成されている。また、吸込具本体８の開口部９の外縁上部には連結部材１２を固定する固定部材１５が設けられている。固定部材１５の上部には溝が設けられており、連結部材１２を溝に挟み込んで端部に第一固定部１３を固定する。
【００２２】
連結部材１２のもう一方の固定部である第二固定部１４は、清掃体本体１６の先端から４５ｍｍの位置に連結される。清掃体本体１６には、切り欠きや穴などの係止部が設けられ、この係止部は連結部材１２に対して清掃体１０が回動自在な状態となるように、第二固定部１４を係止する。したがって、清掃体１０は固定部材１５の引き出し部１５ａを支点として回動自在に吊り下げられる。
【００２３】
清掃体１０は、送風機２ｂにより発生した気流を受けると、後述する節１９を支点として先端側部１６ａと後端側部１６ｂが左右逆方向に動く。また、清掃体１０は開口部９で、前後、左右、上下、回動など複雑に振動するが、気流や被掃除面との位置関係によって動きは変化する。
【００２４】
また、清掃体１０が振動することで振動音が発生する。さらに、清掃体１０は吸込具本体８の内壁１７に接触するため、接触音が発生する。そこで、内壁１７にゴムや発泡樹脂などを材料とする振動吸収部材１８を備えることにより、振動音または接触音を低減することができる。振動吸収部材１８は内壁１７全体を覆うように設けることが望ましいが、少なくとも内壁１７の左右両側面の清掃体１０の接触する頻度の高い位置を網羅するように設けることにより、振動音または接触音を低減することができる。なお、図３では、振動吸収部材１８は内壁１８にのみ設けているが、清掃体本体１６の内壁１８と接触する箇所に設けてもよい。さらに、内壁１８及び清掃体本体１６の両方に設けてももちろんよい。このような構成にすることで振動音または接触音を低減することができる。
【００２５】
続いて、送風機２ｂを駆動させた場合の吸込具５の先端部における気流の作用を、図５を参照して説明する。図５において、開口部９に流入する気流の流れる軌跡を、流入位置の違いにより、気流Ｕ、気流Ｍ、気流Ｌとしてそれぞれ模式的に示す。開口部９は斜め上方に傾斜しているため、開口部９の上部側に向かうほど、上方向から流入する気流となる。すなわち、開口部９付近での気流の速度を見ると、垂直方向成分については気流Ｌが最も大きく、気流Ｕが最も小さい。よって、清掃体１０は、気流Ｕ、気流Ｍ、気流Ｌから、吸引方向（図の右方向）への力を受けると同時に、下方へ押し付けられる力を受ける。このとき、連結部材１２は、清掃体１０が下方向及び右方向に引き込まれるのを阻止するように作用するため、連結部材１２には張力が発生する。また、清掃体１０は一点で吊り下げられた不安定な状態である。
【００２６】
続いて、電気掃除機１が稼動した際の吸込具本体８内の清掃体１０の動作について図６及び図７を用いて説明する。なお、図６及び図７の破線は、清掃体１０及び連結部材１２が動いたときの状態を示している。図６に示すように、清掃体１０は、送風機２ｂにより発生した気流を受けると、張力がかかった状態の連結部材１２と一体となって、左右（水平）方向に揺動する。このとき、清掃体１０は引き出し部１５ａを支点に扇状に振動している。
【００２７】
図７に示すように、清掃体１０は、節１９を支点として振動する。このときの振動の節１９の位置は、先端側部１６ａと後端側部１６ｂのバランス、および、気流の風速によって変化する。つづいて、清掃体１０が振動する原理について説明する。図７において、状態Ａは振動の中心であり、状態Ｂは開口部９付近で清掃体１０が最も右側内壁１７ａに接近した状態であり、状態Ｃは開口部９付近で清掃体１０が最も左側壁面１７ｂに接近した状態を示している。
【００２８】
状態Ａのときに電気掃除機１が吸引動作を開始すると、吸引により発生した気流により清掃体１０が力を受ける。そして、例えば、先端側部１６ａが右側内壁１７ａ側に少し移動すると、先端側部１６ａと右側内壁１７ａの間の空間（以下、「空間Ｄ」と記載。）よりも先端側部１６ａと左側内壁１７ｂの間の空間（以下、「空間Ｅ」と記載。）が広くなるため、空間Ｅを通過する空気の量が、空間Ｄを通過する空気の量より多くなる。よって、先端部１６ａは、気流によって、右側内壁１７ａ側に押される力のほうが左側内壁１７ｂ側に押される力よりも強くなるため、右側内壁１７ａ側に移動する、このような原理で、清掃体１０は状態Ａから状態Ｂに変わる。
【００２９】
そして、状態Ｂのとき、清掃体１０の節１９を境として、先端側部１６ａは右側壁面１７ａ側に接近し、後端側部１６ｂは左側壁面１７ｂ側に接近している。このため、開口部９付近では、空間Ｄが狭くなるため、この空間Ｄを通る空気は少なくなる。一方、空間Ｅが広くなるため、この空間Ｅを通る空気は多くなる。また、後端側部１６ｂでは、後端側部１６ｂと右側壁面１７ａの間の空間（以下、「空間Ｆ」と記載。）が広くなり、後端側部１６ｂと左側壁面１７ｂの間の空間（以下、「空間Ｇ」と記載。）が狭くなる。よって、状態Ｂにおいて、空間Ｅを通過した多量の空気は下流に進み、後端側部１６ｂを右側内壁１７ａ側に押す。この力により後端側部１６ｂは右側内壁１７ａ側に移動する。このとき、先端側部１６ａは左側内壁１７ｂ側に移動する。このようにして、状態Ｂであった清掃体１０は状態Ａ、そして状態Ｃへと状態を変える。
【００３０】
続いて、状態Ｃのとき、清掃体１０の節１９を境として、先端側部１６ａは左側壁面１７ｂ側に接近し、後端側部１６ｂは右側壁面１７ａ側に接近している。このため、開口部９付近では、空間Ｅが狭くなるため、この空間Ｅを通る空気は少なくなる。一方、空間Ｄが広くなるため、この空間Ｄを通る空気は多くなる。また、後端側部１６ｂでは、空間Ｇが広くなり、空間Ｆが狭くなる。よって、状態Ｃにおいて、空間Ｄを通過した多量の空気は下流に進み、後端側部１６ｂを左側内壁１７ｂ側に押す。この力により後端側部１６ｂは左側内壁１７ｂ側に移動する。このとき、先端側部１６ａは右側内壁１７ａ側に移動する。このようにして、状態Ｃであった清掃体１０は状態Ａ、そして状態Ｂへと状態を変える。このように状態を状態Ａ→状態Ｂ→状態Ｃと変えることで、清掃体１０は節１９を支点として振動している。
【００３１】
清掃体１０を安定的に状態Ａ→状態Ｂ→状態Ａ→状態Ｃ→状態Ａと振動させるには、連結部材１２の清掃体１０への連結位置を、清掃体１０の長手方向の全長の１／３から２／３の範囲内にするとよい。さらに望ましくは、清掃体１０の重心位置を中心として、その前後にそれぞれ清掃体１０の全長の１／１０の長さ分移動した範囲とするとよい。なお、電気掃除機１の吸引開始時に、状態Ａから状態Ｂまたは状態Ｃのいずれに移動するかは外部の条件等により変わる。また、上記では状態Ｂのときに先端側部１６ａは右側壁面１７ａ側に接近し、と記載したが、先端側部１６ａと右側壁面１７ａは接触していてもよい。同様に、状態Ｃのときに先端側部１６ａは左側壁面１７ｂ側に接近し、と記載したが、先端側部１６ａと左側壁面１７ｂは接触していてもよい。
【００３２】
図８は毛ブラシ１１を被掃除面Ｆに押し当てた場合の、清掃体１０の状態を示す。清掃体１０は、毛ブラシ１１を被掃除面Ｆに押し当てない場合には、図５に示すように、毛ブラシ１１が下方に向くように力を受けて上下方向に振動する。一方、毛ブラシ１１を被掃除面Ｆに押し当てた場合、図８に示すように、清掃体１０は開口部９の中央寄りに押し戻された状態で振動する。つまり、清掃体１０は、先端側部１６ａが気流から受ける下方向への力によって被掃除面Ｆを押しながら振動する。したがって、毛ブラシ１１が被掃除面Ｆを強く擦り、被掃除面Ｆに付着した塵埃を除去することができる。このとき、清掃体１０の動きは水平方向の単純な往復運動でなく、前後左右、上下、さらに水平方向の回動を伴う複雑な動作となるため、毛ブラシ１１による被掃除面Ｆの磨き効果が高くなる。
【００３３】
清掃体１０の振動数は、風速が約４０ｍ／ｓの時に約４０Ｈｚとなる。ただし、この振動数は清掃体１０のサイズや重量、毛ブラシ１１の長さや重量、連結部材１２の長さなどによって変化する。したがって、これらの条件は、対象とする被掃除面Ｆの汚れの状態に合わせて設定することが望ましい。
【００３４】
清掃体１０は柔軟性を備えることにより、気流を受けて左右方向に振動する際に、しなりが発生する。清掃体１０はしなりによって、運動エネルギーの蓄積と放出を繰り返す。したがって、清掃体１０の振動は、清掃体１０に柔軟性を備えない場合よりも強く振動するため、被掃除面の塵埃除去効果、磨き効果が高くなる。
【００３５】
以上のように、吸込具５は、吸引気流によって清掃体１０が振動して被掃除面上の塵埃を除去するため、使用者は吸込具５を被掃除面に押し当てるだけで塵埃を除去することができる。したがって、吸込具５を被掃除面に力強く押し付けたり、擦ったりする必要がなくなるため、使用者の掃除作業の負担が軽減することができる。
【００３６】
また、清掃体１０には回転軸がないため、開口部９から吸引した糸や毛髪などの長いゴミが清掃体１０に絡みにくいという効果を有する。また、もし、糸や毛髪などの長いゴミが清掃体１０または連結部材１２に絡んだ場合でも、絡みが増長することなく、清掃体１０は振動を継続するため、塵埃の除去効果は低減しない。さらに、清掃体１０の振動が継続することにより、清掃体１０および連結部材１２に絡んだゴミの絡みの状態が変化して、やがて吸引される。
【００３７】
毛ブラシ１１には、炭素材料などの帯電防止効果のある材料を含有させるか、帯電防止処理を施すことにより、被掃除面に静電気によって付着する微細な塵埃の除去効果を高めることができる。
【００３８】
なお、この実施の形態１において、角度調節部７は硬質の蛇腹構造としたが、風路を連通した状態で回動可能なヒンジ構造としてもよい。ヒンジ構造にすることにより、角度調節部７の左右方向へのぶれを軽減することができ、操作性が向上する。
【００３９】
また、連結部材１２の長さを一定としたが、連結部材１２の固定部を複数設けて、長さを調節可能にしてもよい。連結部材１２の引き出し部１５ａから第二固定部１４の長さが長くなると、清掃体１０の開口部９からの突出量が小さくなり、左右方向の振動幅が制限されて振動数は低くなる。逆に、連結部材１２の引き出し部１５ａから第二固定部１４の長さが短くなると、清掃体１０の開口部９からの突出量は大きくなり、振動幅が広がって振動数は高くなる。このように、連結部材１２の長さを調整可能な構成にすることにより、清掃体１０の振動幅と振動数を変化させることができる。したがって、使用者が被掃除面や被掃除対象の状態に合わせて、清掃体１０の振動の状態を調節することが可能となる。なお、この限りでなく、連結部材１２の長さを調節できる構成であれば何でもよい。
【００４０】
また、連結部材１２を固定部材１５に固定する構成としたが、吸込具本体８の上部に溝、あるいは穴を構成して第一固定部１３を取り付けてもよい。このような構成にすることで構成部品を少なくすることができ、吸込具５を軽量化することができる。
【００４１】
また、清掃体１０は全体を平板で構成したが、細い金属棒の先端に毛ブラシ１１を備え、金属棒の一部に平板部を設ける構成としてもよい。清掃体１０は、一部に平板部を備えることにより、平板部が気流を受けて清掃体１０の全体が振動可能となる。
【００４２】
また、開口部９の形状は、上下幅が３０ｍｍ、左右幅が１６ｍｍの長方形であるが、楕円や、二等辺三角形、台形の形状としてもよい。ただし、開口部９の形状は外接する長方形の長辺に対する短辺の比率が３／４以下の縦長形状とすることが望ましい。開口部９の形状を縦方向に長い形状に構成することにより、清掃体１０の上下方向の可動範囲を確保しつつ、左右方向の振動幅を制限できるため、清掃体１０振動を安定化することができる。
【００４３】
また、この実施の形態１の角度Ａは２２°に構成しているが、この限りでなく１０°以上に構成することで清掃体１０を振動させる効果を得ることができる。また、開口部９を横方向から見た場合の傾斜線は直線でなくともよく、吸込具本体８の長手方向（気流の直進方向）に対して気流が斜めに流入する開口形状とすることにより、清掃体１０を振動させる同様の効果を得ることができる。なお、本実施の形態１では開口部９を横方向から見た形状は上側に傾斜するようになっているが、これは連結部材１２側（上側）から気流が流入する形状の一例である。そのため、開口部９を横方向から見た形状は垂直の場合であっても、開口部９の上面に切り欠きや開口が設けられ、気流が流入するようになっていれば清掃体１０を振動させる同様の効果を得ることができる。
【００４４】
また、清掃体１０の先端にはナイロンを材料とする毛ブラシ１１を設けたが、硬質の樹脂や金属を使用してもよい。これにより、被掃除面に固着した汚れを削りながら除去することも可能となる。
【００４５】
実施の形態２
本発明の実施の形態２に係る吸込具の構成について図９を用いて説明する。図９は、この発明の実施の形態２に係る吸込具の先端部の短手方向の垂直断面図である。実施の形態１に係る固定部材１５は、連結部材１２を開口部９の外周縁部に固定するように構成されたものであるのに対し、実施の形態２に係る固定部材は、吸込具本体の開口部内に一部突出する突出部を備え、連結部材１２を開口部の中央寄りに固定することができるように構成したものである。なお、本実施の形態２では実施の形態１との相違点を中心に説明し、実施の形態１と同様の効果については説明を省略する。また、実施の形態１と同一の構成については同一の符号を用いる。
【００４６】
実施の形態２に係る吸込具５ａは、吸込具本体８の先端で、清掃体２０が開口部９から突出する状態で設けられた構成をしている。清掃体２０は、清掃体本体２１と、清掃体本体２１の先端に備えられた毛ブラシ２２により構成される。清掃体本体２１は、長さ８０ｍｍ、幅８ｍｍ、厚み１ｍｍの樹脂やゴム等により構成され板状の部材である。毛ブラシ２２は長さ５ｍｍの細いナイロンの毛を複数束ねたもので、清掃体本体２１の先端の幅１５ｍｍの切り欠き部分に植毛されている。
【００４７】
清掃体本体２１は連結部材１２によって、吊り下げられて設置される。連結部材１２は実施の形態１と同様、直径０．５ｍｍのナイロンを材料とする柔軟な紐状の部材であり、両端に直径を大きくするなどの加工を施して固定可能に構成された第一固定部１３、第二固定部１４が形成されている。連結部材１２は開口部９の外縁上部に設けられた固定部材２３に固定される。固定部材２３の上部には溝が設けられており、連結部材１２を溝に挟み込んで端部で第一固定部１３を固定する。固定部材２３は、開口部９の中央に向かって一部突出する突出部２３ａを備え、連結部材１２はこの突出部２３ａで固定されている。このため、突出部２３の開口部９内への突出分だけ、支点から第二固定部１４までの長さは短くなる。一方、連結部材１２のもう一方の第二固定部１４は、清掃体２０の先端から４５ｍｍの位置に連結される。清掃体２０には、切り欠きや穴などの係止部（図示せず）が設けられ、連結部材１２に対して清掃体２０が回動自在な状態となるように、第二固定部１４を係止する。したがって、清掃体２０は、突出部２３ａを支点として回動自在に吊り下げられているため、前後、左右及び上下に移動可能である。
【００４８】
実施の形態２に係る清掃体２０は、実施の形態１における清掃体１０よりも長手方向に短いため、清掃体２０の振動時の上下方向の傾斜が大きくなり易いが、連結部材１２を固定部材２３の突出部２３ａの下端に固定することにより、清掃体２０の振動時の上下方向の傾斜が大きくなることを防止し、清掃体２０を安定的に振動させることができる。
【００４９】
また、清掃体２０は、実施の形態１における清掃体２０よりも長手方向の長さを短く構成しているため、振動数は実施の形態１に係る清掃体１０よりも増加し、塵埃の除去性能は高くなる。さらに、毛ブラシ２２を短い毛で構成しているため、毛が被掃除面に接触した時の毛のたわみが小さくなり、力の伝達効率が高まるため、被掃除面の掻き取り効果が高くなる。
【００５０】
この実施の形態２における吸込具５ａは、毛ブラシ２２の植毛幅が短く、網羅する面積が狭い分、掃除範囲は実施の形態１における吸込具５よりも狭くなる。しかし、毛ブラシ２２の被掃除面に作用する力が大きく、また、振動数が高いため、付着力の強い塵埃の除去効果は高くなる。
【００５１】
また、本実施の形態２における毛ブラシ２２には、炭素材料などの帯電防止効果のある材料を含有させるか、帯電防止処理を施すことにより、被掃除面に静電気によって付着する微細な塵埃の除去効果を高めることができる。
【００５２】
なお、固定部材２３の突出部２３ａを一定長の構成としたが、突出部２３ａをスライド可動な棒状の部材で構成し、連結部材１２の固定位置を調節可能にしてもよい。これにより、清掃体２０の振動の強さを変化させることができるため、使用者が被掃除面や被掃除対象の状態に合わせて、清掃体２０の振動の状態を調節することが可能となる。
【００５３】
また、連結部材１２の固定位置に加え、開口部９の開口面積を調節可能にしてもよい。これにより、連結部材１２の長さ及び開口部９の開口面積を変化させることにより、流入する気流の風速を変化させることができるため、使用者が被掃除面や被掃除対象の状態に合わせて、清掃体２０の振動の状態を調節することが可能となる。
【００５４】
実施の形態３
本発明の実施の形態３に係る吸込具の構成について図１０、図１１を用いて説明する。図１０は、この発明の実施の形態３に係る吸込具の先端部を示す斜視図である。図１１は、この発明の実施の形態３に係る吸込具の先端部の短手方向の垂直断面図である。実施の形態３に係る吸込具本体は、実施の形態１に係る吸込具本体８に気流誘導部材を備えたものでる。なお、本実施の形態３では実施の形態１及び２との相違点を中心に説明し、実施の形態１、２と同様の効果については説明を省略する。また、実施の形態１、２と同一の構成については同一の符号を用いる。
【００５５】
実施の形態３に係る吸込具２４は、吸込具本体２５の先端で、清掃体２６が開口部９から突出する状態で設けられた構成をしている。清掃体２６は、清掃体本体２７と、清掃体本体２７の先端に備えられた毛ブラシ２８により構成される。清掃体本体２７は、長さ１１０ｍｍ、幅１０ｍｍ、厚み１ｍｍの樹脂やゴム等により構成され板状の部材である。毛ブラシ２８は長さ８ｍｍの細いナイロンの毛を複数束ねたもので、清掃体本体２７の先端の幅３０ｍｍの切り欠き部分に植毛される。
【００５６】
吸込具本体２５の開口部９の左右両側面には、開口部９から延長する気流誘導部材２９ａ、２９ｂが設けられる。気流誘導部材２９ａ、２９ｂは、開口部９から約４０ｍｍ前方に突出するように構成され、先端側下部に斜めの切り欠きを有する。
【００５７】
本実施の形態３における吸込具２４は、毛ブラシ２８の植毛幅が長く、網羅する面積が広いため、掃除範囲が実施の形態１における吸込具５よりも掃除効率が高くなる。一方、清掃体２６の先端周辺は、開口部９から遠くなるため、開口部９に流入する気流の吸引力が小さくなるが、気流誘導部材２９ａ、２９ｂを設けることにより、開口部９に流入する気流の吸引力を清掃体２６の先端周辺まで及ぶようにすることができる。つまり、このような気流誘導部材２９ａ、２９ｂを設けることで吸引力が小さくても掃除効果を維持することが可能となる。
【００５８】
また、気流誘導部材２９ａ、２９ｂは、塵埃が毛ブラシ２８によって横方向にはじかれた場合でも塵埃を留めるように作用するため、塵埃の取りこぼしを低減する効果を奏する。また、気流誘導部材２９ａ、２９ｂは、吸込具２４を壁際などで使用する際に、清掃体２６を保護するように作用するため、吸込具２４の耐久性を高める効果を奏する。
【００５９】
吸込具本体２５をポリプロピレンなどの柔軟性のある材料で構成することにより、吸込具本体２５と一体的に構成する気流誘導部材２９ａ、２９ｂも柔軟性を有する。ただし、気流誘導部材２９ａ、２９ｂは、開口部９に流入する気流の吸引力によって曲がらない剛性を有するように、厚みや加工を最適化して構成している。
【００６０】
気流誘導部材２９ａ、２９ｂは柔軟性を有するため、吸込具２４の先端を狭い隙間や、家具が交差する角部に当てた場合に、中央寄りに変形する。これにより、清掃体２６の近傍の気流の流路が狭まり、風速が速まるため、清掃体２６の振動数が増加し、塵埃の除去性能が高まる。
【００６１】
また、毛ブラシ２８には、炭素材料などの帯電防止効果のある材料を含有させるか、帯電防止処理を施すことにより、被掃除面に静電気によって付着する微細な塵埃の除去効果を高めることができる。
【００６２】
実施の形態４
本発明の実施の形態４に係る吸込具の構成について図１２を用いて説明する。図１２は、この発明の実施の形態４に係る吸込具の先端部を示す斜視図である。実施の形態４に係る吸込具本体は、実施の形態３の気流誘導部材２９ａ、２９ｂを透明の部材で構成したものである。なお、本実施の形態４では実施の形態３との相違点を中心に説明し、実施の形態１から３と同様の効果については説明を省略する。また、実施の形態１から３と同一の構成については同一の符号を用いる。
【００６３】
吸込具本体２５の開口部９の左右両側面には、開口部９から延長する気流誘導部材３０ａ、３０ｂが設けられる。この気流誘導部材３０ａ、３０ｂは、開口部９から約４０ｍｍ前方に突出するように構成され、先端下部に斜めの切り欠き部を有する。気流誘導部材３０ａ、３０ｂは、柔軟性を有する透明な樹脂板で構成される。
【００６４】
このように、気流誘導部材３０ａ、３０ｂが透明に構成されることにより、使用者が被掃除面と清掃体２６を視認し易くなり、被掃除面の塵埃の除去状況を把握し易くなる。
【００６５】
実施の形態５
本発明の実施の形態５に係る吸込具の構成について図１３を用いて説明する。図１３は、この発明の実施の形態５に係る吸込具の先端部を示す斜視図である。実施の形態５に係る気流誘導部材は、実施の形態４に係る気流誘導部材３０ａ、３０ｂに毛ブラシを備えたものである。なお、本実施の形態５では実施の形態４との相違点を中心に説明し、実施の形態１から４と同様の効果については説明を省略する。また、実施の形態１から４と同一の構成については同一の符号を用いる。
【００６６】
吸込具本体２５の開口部９の左右両側面には、開口部９から延長する気流誘導部材３１ａ、３１ｂが備えられている。気流誘導部材３１ａ、３１ｂは、柔軟性を有する透明な樹脂板で構成され、開口部９から約４０ｍｍ前方に突出するように構成される。気流誘導部材３１ａ、３１ｂの先端下部には一部切り欠き部を備え、この切り欠き部に毛ブラシ３２ａ、３２ｂが植毛されている。また、毛ブラシ３２ａ、３２ｂは長さ１０ｍｍの毛が３０ｍｍの幅で植毛されて構成される。
【００６７】
このように、気流誘導部材３１ａ、３１ｂの先端下部に毛ブラシ３２ａ、３２ｂを設けることで、吸込具２４を被掃除面上で滑らせても、被掃除面の傷つきを防止することができる。また、吸込具２４を被掃除面上で滑らせて使用する場合、清掃体２６の毛ブラシ２８と、気流誘導部材３１ａ、３１ｂの毛ブラシ３２ａ、３２ｂの両方の作用により、塵埃の除去効果が高くなる。
【００６８】
また、送風機２ｂの駆動により発生した気流によって、清掃体２６は振動する。そしてこの清掃体２６の振動は、吸込具本体２５又は気流誘導部材３１ａ、３１ｂを介して毛ブラシ３２ａ、３２ｂに伝達される。したがって、毛ブラシ３２ａ、３２ｂの振動によっても被掃除面の塵埃の除去効果を得ることができる。毛ブラシ３２ａ、３２ｂに伝達する振動エネルギーは、振動吸収部材１８で吸収された振動エネルギーを差し引いたものであるため、毛ブラシ３２ａ、３２ｂによる被掃除面の塵埃の除去効果を高めるには、振動吸収部材１８を振動音の低減効果を損なわない範囲で薄く構成する必要がある。
【００６９】
吸込具２４を被掃除面上に置くと（つまり毛ブラシ２８、３２ａ、３２ｂを被掃除面に接触させると）、毛ブラシ２８、３２ａ、３２ｂは被掃除面からの反力を受ける。清掃体２６の振動時、吸込具２４は、この被掃除面からの反力によって被掃除面上で微細に上下運動する。そして、吸込具２４が左右方向に傾斜すると、毛ブラシ３２ａ、３２ｂは被掃除面から傾斜させた側に移動する力を受ける。したがって、使用者は吸込具２４を移動させたい方向に傾斜させることにより、力を加えなくとも吸込具２４を移動することができる。このように、毛ブラシ３２ａ、３２ｂの振動は、吸込具２４の被掃除面上での移動負荷を低減する効果も奏する。
【００７０】
毛ブラシ３２ａ、３２ｂは、毛ブラシ２８よりも長い毛で構成しているが、異なる長さの毛を使用することにより、平らな被掃除面や凹凸のある被掃除面などの多様な被掃除面
において、塵埃の除去効果を得ることができる。また。毛ブラシ３２ａ、３２ｂには、炭素材料などの帯電防止効果のある材料を含有させるか、帯電防止処理を施すことにより、被掃除面に静電気によって付着する微細な塵埃の除去効果を高めることができる。
【００７１】
実施の形態６
本発明の実施の形態６に係る吸込具の構成について図１４を用いて説明する。図１４は、この発明の実施の形態６に係る吸込具の先端部を示す斜視図である。実施の形態６は、実施の形態５に係る清掃体２６の毛ブラシ２８を起毛布に変えたものである。なお、本実施の形態６では実施の形態５との相違点を中心に説明し、実施の形態１から５と同様の効果については説明を省略する。また、実施の形態１から５と同一の構成については同一の符号を用いる。
【００７２】
実施の形態６に係る清掃体３３は、清掃体本体３４と、清掃体本体３４の先端に備えられた起毛布３５により構成される。清掃体本体３４は、長さ１１０ｍｍ、幅１０ｍｍ、厚み１ｍｍの樹脂やゴム等により構成され板状の部材である。起毛布３５は上下幅６ｍｍ、奥行き２４ｍｍの寸法で、複数枚束ねられ、複数に分割されている。また、起毛布３５は微細な繊維によって構成されているため、微細な塵埃の除去効果が高くなる。
【００７３】
起毛布３５は、清掃体本体３４の振動によりはためくが、この起毛布３５のはためきは清掃体本体３４の振動の抵抗要因となる。このため、清掃体本体３４に起毛布３５を取り付けることは、先端に毛ブラシ２８を設ける構成と比較して、清掃体本体３４の振動数を低下させやすいが、起毛部３５の上下幅や奥行きを短めに構成することにより、清掃体本体３４の振動数の低下を軽減することができる。なお、毛ブラシを起毛布３５に変える発想は本実施の形態６だけでなく、実施の形態１から５にも適用可能である。
【００７４】
実施の形態７
本発明の実施の形態７に係る吸込具の構成について図１５、図１６を用いて説明する。図１５は、この発明の実施の形態７に係る吸込具の先端部を示す斜視図であり、図１６は、この発明の実施の形態７に係る吸込具の先端部の左右方向の垂直断面図である。実施の形態７に係る吸込具は、実施の形態４に係る吸込具２４の先端にカバーを備えたものである。なお、本実施の形態７では実施の形態４との相違点を中心に説明し、実施の形態１から６と同様の効果については説明を省略する。また、実施の形態１から６と同一の構成については同一の符号を用いる。
【００７５】
カバー３６は吸込具本体２５の左右両側面部に固定され、清掃体２６及び気流誘導部材３０ａ、３０ｂの上部を覆うように設けられる。また、カバー３６と気流誘導部材３０ａ、３０ｂと被掃除面Ｆとによって風路が構成され、カバー３６の先端部側が吸気口３８となる。清掃体２６及び気流誘導部材３０ａ、３０ｂを覆うようにカバー３６を設けることで、吸気口３８のサイズが小さくなるため、清掃体２６の水平方向の気流Ｌの速度を速くすることができる。
【００７６】
また、カバー３６は開口部９の上部に気流Ｍ、Ｕが流入可能な開口部３７を備える。清掃体２６は開口部３７から流入する気流Ｍ、Ｕによって、斜め下方向への力を受ける。清掃体２６は先端から流入する気流Ｌ、および開口部３７から流入する気流Ｍ、Ｕによって振動する。
【００７７】
カバー３６は、清掃体２６が振動した際にも干渉しないように設けられる。さらに、カバー３６と気流誘導部材３０ａ、３０ｂとは固定されておらず、気流誘導部材３０ａ、３０ｂにたわみが生じてもカバー３６は力を受けないように構成されている。また、カバー３６は透明の樹脂材料によって構成される。したがって、使用者が被掃除面と清掃体２６を視認し易くなり、被掃除面の塵埃の除去状況を把握し易くなる。
【００７８】
以上のように、吸込具２４はカバー３６を設けたことにより、清掃体２６の振動が強くなるため、塵埃の除去効果と、被掃除面の磨き効果が高くなる。また、カバー３６を設けることにより、吸込具２４を被掃除面から離した状態でも、清掃体２６の先端から流入する気流の吸引力が強くなる。したがって、平面部が少ない被掃除面や、凹凸のある被掃除面に堆積した塵埃を除去する際も、塵埃の除去効果を高めることができる。
【００７９】
実施の形態８
本発明の実施の形態８に係る吸込具の構成について図１７を用いて説明する。図１７は、この発明の実施の形態８に係る吸込具の先端部を示す斜視図である。図１７に示すように実施の形態８に係る吸込具は、実施の形態５に係る吸込具２４にカバー３６を備えたもの、または実施の形態７の吸込具２４に係る気流誘導部材３０ａ、３０ｂに毛ブラシ３２ａ、３２ｂを備えたものである。
【００８０】
本実施の形態８に係る気流誘導部材３１ａ、３１ｂは毛ブラシ３２ａ、３２ｂを備えている。また、上述したように、カバー３６を備えたことで水平方向の気流Ｌの速度が早くなるため、清掃体２６の振動が強くなる。この振動が吸込具本体２５、気流誘導体３１ａ、３１ｂ、毛ブラシ３２ａ、３２ｂに伝わる。よって、実施の形態８に係る吸込具２４を備えた電気掃除機１は高振動の毛ブラシ３２ａ、３２ｂを当てながら、被掃除面に堆積した塵埃を除去できるため塵埃の除去効果を高めることができる。
【００８１】
実施の形態９
本発明の実施の形態９に係る吸込具の構成について図１８から図２０を用いて説明する。図１８は、この発明の実施の形態９に係る吸込具の先端部を示す斜視図であり、図１９は、この発明の実施の形態９に係る吸込具の先端部の短手方向の垂直断面図であり、図２０はこの発明の実施の形態９に係る吸込具の先端部の水平断面における清掃体の動作を示す説明図である。実施の形態９に係る吸込具本体は、実施の形態５に係る吸込具本体２５の先端部を細くしたものである。なお、本実施の形態９では実施の形態５との相違点を中心に説明し、実施の形態１から８と同様の効果については説明を省略する。また、実施の形態１から８と同一の構成については同一の符号を用いる。
【００８２】
本発明の実施の形態９に係る吸込具３９は、吸込具本体４０の長手方向に垂直な面から傾斜角２２°傾斜して開口する開口部４１を有する。吸込具本体４０の風路の垂直断面の寸法は、上下幅が３０ｍｍ、左右幅が１６ｍｍであるが、先端側は開口部４１に向かって断面積が徐々に縮小するように構成され、開口部４１の寸法は、上下幅が２３ｍｍ、左右幅が１３ｍｍである。
【００８３】
図１９に示すように、吸込具本体４０の開口部４１は斜め上方向を向いて開口している。また、開口部４１に向けて風路が縮小し、開口部４１の下側の風路が被掃除面に沿うように曲がっているため、気流Ｌが水平方向から、気流Ｍ、Ｕが斜め上方向から流入する効果が高くなる。
【００８４】
開口部４１の左右両側面には、気流誘導部材３１ａ、３１ｂが設けられる。気流誘導部材３１ａ、３１ｂは、柔軟性を有する透明な樹脂板で構成され、開口部４１から約４０ｍｍ前方に突出するように構成される。気流誘導部材３１ａ、３１ｂの先端側下部には一部切り欠き部を備え、毛ブラシ３２ａ、３２ｂが植毛されている。毛ブラシ３２ａ、３２ｂは長さ１０ｍｍの毛が３０ｍｍの幅で植毛されて構成される。
【００８５】
気流誘導部材３１ａ、３１ｂは、図２０に示すように、吸込具本体４０の左右両側面に設けられており、開口部４１の外縁との間に隙間を有する。気流誘導部材３１ａ、３１ｂの近傍を通過する気流Ｒ、Ｌは、気流誘導部材３１ａ、３１ｂに沿って流れた後、開口部４１寄りに向かって方向を変え、開口部４１に流入する。このように、気流Ｒ、Ｌが気流誘導部材３１ａ、３１ｂから離れて開口部４１に流入する構成となることで、清掃体２６と気流誘導部材３１ａ、３１ｂとの間に流れる気流によって発生する吸引力を低減できるため、清掃体２６の振動が安定的になる。
【００８６】
以上のように、吸込具本体４０を開口部４１に向けて先端を絞った構成とすることにより、清掃体２６の振動を安定的にすることができ、塵埃の除去効果と、被掃除面の磨き効果を高めることができる。
【００８７】
なお、上述した実施の形態１から９では、清掃体本体、毛ブラシ、連結部材、起毛布の寸法を記載しているが、本発明の効果を得られるのであれば、もちろんこの寸法に限らない。
【符号の説明】
【００８８】
１  電気掃除機、２  掃除機本体、２ａ  集塵部、２ｂ  送風機、３  ホース、４  接続パイプ、４ａ  把手部、５  吸込具、５ａ  吸込具、６  中継部、７  角度調節部、８  吸込具本体、９  開口部、１０  清掃体、１１  毛ブラシ、１２  連結部材、１３  第一固定部、１４  第二固定部、１５  固定部材、１５ａ  引き出し部、１６  清掃体本体、１６ａ  先端側部、１６ｂ  後端側部、１７  内壁、１７ａ  右側内壁、１７ｂ  左側内壁、１８  振動吸収部材、１９  節、２０  清掃体、２１  清掃体本体、２２  毛ブラシ、２３  固定部材、２３ａ  突出部、２４  吸込具、２５  吸込具本体、２６  清掃体、２７  清掃体本体、２８  毛ブラシ、２９ａ  気流誘導部材、２９ｂ  気流誘導部材、３０ａ  気流誘導部材、３０ｂ  気流誘導部材、３１ａ  気流誘導部材、３１ｂ  気流誘導部材、３２ａ  毛ブラシ、３２ｂ  毛ブラシ、３３  清掃体、３４  清掃体本体、３５  起毛布、３６  カバー、３７  開口部、３８  吸気口、３９  吸込具、４０  吸込具本体、４１  開口部、
【図１】
2015159936.tif 000003
【図２】
2015159936.tif 000004
【図３】
2015159936.tif 000005
【図４】
2015159936.tif 000006
【図５】
2015159936.tif 000007
【図６】
2015159936.tif 000008
【図７】
2015159936.tif 000009
【図８】
2015159936.tif 000010
【図９】
2015159936.tif 000011
【図１０】
2015159936.tif 000012
【図１１】
2015159936.tif 000013
【図１２】
2015159936.tif 000014
【図１３】
2015159936.tif 000015
【図１４】
2015159936.tif 000016
【図１５】
2015159936.tif 000017
【図１６】
2015159936.tif 000018
【図１７】
2015159936.tif 000019
【図１８】
2015159936.tif 000020
【図１９】
2015159936.tif 000021
【図２０】
2015159936.tif 000022